(57)【要約】      （修正有）【課題】  ニットウエアの前身頃と後身頃を肩部分で接合するための改良された編成方法を提供する。【解決手段】  肩部分のコースが形成される側の身頃の編み幅側端の複数のウエールからなる側端編目群を目移しとラッキングにより身頃の中央側に向けて移動させて重ね目を形成する方法は、側端編目群は少なくとも４本以上のウエールで構成するとともに側端編目群を３本以上の内側ウエールと少なくとも１本の外側ウエールとに分けて、内側ウエールを１本寄せ、外側ウエールを２本寄せとして減らし編成を行う。【選択図】  図３
2006152488.tif 000002
【特許請求の範囲】
【請求項１】
左右方向に延び、かつ、前後方向に互いに対向する少なくとも前後一対の針床を有し、針床が左右にラッキング可能で、かつ、前後の針床間で編目の目移しが可能な横編機を用いて、ニットウエアを構成する少なくとも前身頃を第１の針床上に付属させ、後身頃を第２の針床上に付属させ、前後の身頃が編み幅の両端で接続された筒状体として身頃を裾から肩に向けて編成するとともに肩部において少なくとも前身頃と後身頃の一方を編みながら他方の身頃と接合し、更に肩部分の編み幅を減らし編成により減らしていく編成方法であって、前記減らし編成は、コースが形成される側の身頃の編み幅側端の複数のウエールからなる側端編目群を、目移しとラッキングにより身頃の中央側に向けて移動させて重ね目を形成する方法において、前記側端編目群は少なくとも４本以上のウエールで構成するとともに該側端編目群を３本以上の内側ウエールと少なくとも１本の外側ウエールとに分けて、前記内側ウエールを１本寄せ、前記外側ウエールを２本寄せとして減らし編成することを特徴とする。
【請求項２】
６〜１８本のウエールで前記側端編目群を形成し、且つ外側ウエールを１〜５本とする請求項１に記載のニットウエアの編成方法。
【請求項３】
前記外側ウエールを１本とする請求項２に記載のニットウエアの編成方法。
【請求項４】
左右方向に延び、かつ、前後方向に互いに対向する少なくとも前後一対の針床を有し、針床が左右にラッキング可能で、かつ、前後の針床間で編目の目移しが可能な横編機を用いて、前後の身頃が編み幅の両端で接続された筒状体として裾から肩に向けて編成され、肩部において少なくとも前身頃と後身頃の一方を編みながら他方の身頃と接合し、更に肩部分の編み幅を減らしていく減らし編成がされており、該減らし編成はコースが形成される側の身頃の編み幅側端の複数のウエールからなる側端編目群を身頃の中央側に向けて移動させて重ね目を形成するものであり、前記側端編目群は少なくとも２本以上の内側ウエールと少なくとも１本の外側ウエールとからなる３本以上のウエールで構成され、内側ウエールが１本寄せ、外側ウエールが２本寄せで減らし編成されていることを特徴とする横編機により編まれたニットウエア。
【発明の詳細な説明】
【技術分野】
【０００１】
この発明は、横編機を用いてセーター、ベスト等のニットウエアの前身頃と後身頃を肩部分で接合するための改良された編成方法およびその方法により編まれたニットウエアに関する。
【背景技術】
【０００２】
左右方向に延び、かつ、前後方向に互いに対向する少なくとも前後一対の針床を有し、針床が左右にラッキング可能で、かつ、前後の針床間で編目の目移しが可能な横編機を用いて、セーター等のニットウエアを編成する際に、前身頃と後身頃を、その両端で連続する筒状の編地として裾から肩側に向けて編成するとともに、身頃の左右で編まれる袖をそれぞれ筒状に編成し、これら袖を身頃側に移動させつつ接合し、更に前身頃と後身頃を肩部分で接合することで、編成完了後の縫製等の後処理を不要または軽減する無縫製ニットと呼ばれる編成方法が種々考案されている。
【０００３】
このような技術を開示したものとして、文献１や文献２がある。図９は、これら文献に記載された方法で編まれたセーター２０の右半分を後身頃２１側から見た図を示す。図１０−Ａは肩部の接合ライン２３付近の後身頃の編目構造を示し、図１０−Ｂは、その編成ステップを模式的に示した図をそれぞれ示す。図１０−Ａの斜めの線で示した部分が側端ウエールの編目群を示し、枠で囲まれた箇所が重ね目を示す。図１０−Ｂの矢印は前身頃の編目を後身頃に重ねる目移しを示し、側端ウエールの編目群を黒塗りの丸で示し、その上段に減らし編成を終えた後の編目の係止状態を示した。これら文献には、ニットウエアは身頃、袖の裾側から筒状に編み始められ、脇下部において身頃と袖を一体にする。以降、適宜コース数を編成する毎に袖を身頃と重ねて袖付けを行って肩までを編む。肩部においては、前身頃の編成を中断させた状態で、後身頃の肩部分を台形形状に編みながら前身頃と後身頃を肩先から衿部に向けて順次接合していく。肩部分を台形形状に編むことで衿から肩先に向けて下方に傾斜したシルエットに形成する。肩部分では、後身頃を所定コースを編成する毎に前身頃の側端の編目を後身頃の側端の編目に重ねて接合させながら同時に後身頃の側端の所定数のウエールからなる表目の編目群を移し替えながら編み幅を減少させていく、所謂内減らしにより行う。その結果、後身頃の側端ウエールの編目群は接合ラインに沿って平行なファッションライン２５を発現する。
【０００４】
【特許文献１】特開平０９−２７３０５１号公報
【特許文献２】国際公開ＷＯ００−１２７９９公報
【発明の開示】
【発明が解決しようとする課題】
【０００５】
上記した文献にも記載されるが、一般に上記接合ラインに沿って形成される内減らしによるウエールは表目による平編みで編まれるため、編地の性質上、後身頃の側端が前身頃側にカールする傾向がある。そのため内減らしのウエールが接合ライン周辺で膨出した状態に現れるためニットウエア着用時のシルエットに影響を及ぼすことがある。この発明は、上記問題を鑑み、横編機を用いてセーター、ベスト等のニットウエアの前身頃と後身頃を肩部分で接合するための改良された編成方法およびその方法により編まれたニットウエアを提供することを目的とする。
【課題を解決するための手段】
【０００６】
この発明では、左右方向に延び、かつ、前後方向に互いに対向する少なくとも前後一対の針床を有し、針床が左右にラッキング可能で、かつ、前後の針床間で編目の目移しが可能な横編機を用いて、ニットウエアを構成する少なくとも前身頃を第１の針床上に付属させ、後身頃を第２の針床上に付属させ、前後の身頃が編み幅の両端で接続された筒状体として身頃を裾から肩に向けて編成するとともに肩部において少なくとも前身頃と後身頃の一方を編みながら他方の身頃と接合し、更に肩部分の編み幅を減らし編成により減らしていく編成方法であって、前記減らし編成は、コースが形成される側の身頃の編み幅側端の複数のウエールからなる側端編目群を、目移しとラッキングにより身頃の中央側に向けて移動させて重ね目を形成する方法において、前記側端編目群は少なくとも４本以上のウエールで構成するとともに該側端編目群を３本以上の内側ウエールと少なくとも１本の外側ウエールとに分けて、前記内側ウエールを１本寄せ、前記外側ウエールを２本寄せとして減らし編成することを特徴とする。
【０００７】
また好ましくは６〜１８本のウエールで前記側端編目群を形成し、且つ外側ウエールを１〜５本とする。
【０００８】
更に好ましくは前記外側ウエールを１本とする。
【０００９】
またもう一つの発明では、左右方向に延び、かつ、前後方向に互いに対向する少なくとも前後一対の針床を有し、針床が左右にラッキング可能で、かつ、前後の針床間で編目の目移しが可能な横編機により編まれたニットウエアは、前後の身頃が編み幅の両端で接続された筒状体として裾から肩に向けて編成され、肩部において少なくとも前身頃と後身頃の一方を編みながら他方の身頃と接合し、更に肩部分の編み幅を減らしていく減らし編成がされており、該減らし編成はコースが形成される側の身頃の編み幅側端の複数のウエールからなる側端編目群を身頃の中央側に向けて移動させて重ね目を形成するものであり、前記側端編目群は少なくとも２本以上の内側ウエールと少なくとも１本の外側ウエールとからなる３本以上のウエールで構成され、内側ウエールが１本寄せ、外側ウエールが２本寄せで減らし編成されている。
【発明の効果】
【００１０】
この発明の編成方法では、ニットウエアは裾から肩に向けて編成され、肩部において前身頃と後身頃が少なくともその一方を編みながら肩先から衿部に向けて徐々に編み幅を減少させながら接合編成させていくことで編成後の工程である縫製作業を省略ないし簡略化できるように編成されている。肩部における前身頃と後身頃の接合編成では、コースが形成される側の身頃の編み幅側端の編目群を目移しとラッキングにより身頃の中央側に向けて移動させて行く際に側端編目群を３本以上の内側ウエールと少なくとも１本の外側ウエールで構成し、内側ウエールは１本寄せにより減らし編成を行うようにし、外側ウエールは２本寄せより減らし編成を行う。このような減らし編成では重ね目は身頃本体部と側端編目群の内側ウエールの境界部分に第１の重ね目が形成され、側端編目群の内側ウエールと外側ウエールとの境界部分に第２の重ね目が形成されることになる。また内側ウエールは３本以上のウエールで形成されるため第１の重ね目と第２の重ね目は他の編目を介して隔てて形成される。この減らし編成を繰り返し行うと肩部の接合ラインには従来のように側端編目群のウエールが接合ラインに沿って平行に延びず、更に垂直方向に対して角度を付けた状態となる。言い換えると側端部の内側ウエールの編目もコース編成とともに繰り返し行われる減らし編成により徐々に編地の外側に位置するようになり、最後には接合ラインに重なり消えてしまうことになる。この結果、従来のように接合ラインに沿って表目が平行に形成されることなく、該部分がカールして膨出することを防ぐことができる。
【発明を実施するための最良の形態】
【００１１】
以下に本発明を実施するための最適実施例を図面とともに以下詳細に説明する。 
【実施例】
【００１２】
本発明の実施例について、図１から図６に基づいて説明する。  図１は、本実施例の編成方法によって編まれたニットウエアとして袖付けがセットインタイプのセーター１の右半分を後身頃側から見た図を示す。セーター１の編成には、左右方向に延び、かつ、前後方向に互いに対向する前後一対の針床と、さらにこの針床の上位にもう一対の針床を備えた４枚ベッド横編機を用いるものとする。横編機は、後針床が左右にラッキング可能で、前後の針床間で編目の目移しが可能なものを用いるが、ラッキングは前後針床ともに行える編機であってもよい。このような横編機として例えば株式会社島精機製作所製コンピュータ横編機（製品名：ＳＷＧ−Ｘ）を用いることができる。４枚ベッド横編機で、ニットウエアを筒状に編成するには、筒状編地の前側部分を前下部針床に付属させ、例えば袖や身頃の前側の編地部分の表目を前下部針床の針で、その裏目を後上部針床の針で編成し、後側編地の表目を後下部針床の針で、その裏目を前上部針床の針を使用して編成する。本実施例では説明の便宜を図るために無地のセーターを例とするが、ワイドリブや寄せ柄、ケーブル柄などの組織柄をデザインしたものでもよくまたベストやカーディガンなどのニットウエアであっても構わない。
【００１３】
図２は、セーター１の型紙を示し、上が前身側（前身頃２ｆ、前袖３ｆ）、下が後身側（前身頃２ｂ、前袖３ｂ）を示す。セーター１は、まず編成に用意した給糸口（図示せず）を使って身頃、袖の裾５側から筒状に編み始められ、脇下部において身頃と袖を一体にする。以降、適宜コース数を編成する毎に袖を身頃と重ねて袖付けを行って肩７までを編む。図３は上記した図１０に対応する図で、図３−Ａは肩部７の接合ライン９付近の後身頃の編目構造を、図３−Ｂはその編成ステップをそれぞれ模式的に示した図である。なお図３−Ｂでは後述する側端編目群１１の内側ウエール１１ａを黒塗りの丸で示し、外側ウエール１１ｂを黒塗りの四角で示し、その上段に減らし編成を終えた後の編目の係止状態を示した。      
【００１４】
以下、図４および図５を使って肩部において前身頃２ｆと後身頃２ｂを接合する編成ステップを詳細に説明する。図中のＦＤは前下部針床、ＦＵは前上部針床、ＢＤは後下部針床、ＢＵは後上部針床を示す。前身頃２ｆの編目を黒塗りの丸で、後身頃２ｂの編目を白抜きの丸で示す。重ね目は二重丸で示す。左右方向の矢印は給糸口の移動方向を、上下方向の矢印は目移しによる編目の移動方向をそれぞれ示す。また図中のＬ２Ｐなどの記号は後針床のラッキングピッチ（量）を示す。説明の便宜を図るために編成に使用される針数は、実際のものより少なくし、左右の肩部分の編目のみを示しその間にある衿部分の編目については省略して示した。図４においてステップＳは、肩部における前身頃２ｆと後身頃２ｂの接合編成を開始する直前の針床における編目の係止状態を示す。ステップＳでは、前下部針床の針ｍ〜ａに前身頃２ｆの右肩部分の編目、針Ｍ〜Ａに前身頃２ｆの左肩部分の編目、後下部針床の針ｍ〜Ｍに後身頃２ｂの編目がそれぞれ係止されている。なお、本明細書において、右前身頃２ｆｒ、左前身頃２ｂｌなどの各部位の左右とはセーター１を着用した状態の着用者を基準にした。      
【００１５】
ステップ１では左前身頃２ｆｌの肩先側に位置する前下部針床の針Ｌ，Ｍに係止される側端の編目を後下部針床の針Ｌ，Ｍに目移しして後身頃２ｂの肩部分の側端の編目と重ねる。次にステップ２では給糸口を右に向け移動して後下部針床の針ｍ〜Ｍに給糸して後身頃２ｂの肩部分の編目コースを形成する。そして続くステップ３では後身頃２ｂの接合ライン９に沿って形成する新規なファッションラインを形成するために編み幅側端の複数のウエールからなる側端編目群、この例では後下部針床の針Ｇ〜Ｍに係止される側端の７本のウエールからなる編目群を側端編目群１１とし、前上部針床の針に目移しする。７本のウエールからなる側端編目群１１は、その内の内側の６本からなる内側ウエール１１ａと外側の１本からなる外側ウエール１１ｂで構成される。図３−Ｂでは内側ウエール１１ａを黒塗りの丸で示し、外側ウエール１１ｂを黒塗りの四角で示した。ステップ４では後針床を原点から右に１ピッチラッキングして前上部針床の針Ｇ〜Ｍに係止される側端編目群のうち針Ｇ〜Ｌに係止される内側ウエールの編目を後下部針床の針Ｆ〜Ｋに目移しする。これにより針Ｆに重ね目（第１の重ね目１３）が形成される。この重ね目１３は身頃本体部と側端編目群の内側ウエールの境界部分に形成される。      
【００１６】
次のステップ５では後針床をさらに右方向に１ピッチラッキングして前上部針床の針Ｍに係止される外側ウエール１１ｂの編目を後下部針床の針Ｋに目移ししてもう一つの重ね目（第２の重ね目１５）を形成する。この重ね目１５は内側ウエール１１ａと外側ウエール１１ｂとの境界部分に形成されることになる。第１の重ね目１３は１本寄せ、第２の重ね目１５は２本寄せによりそれぞれ形成される。上記したステップ１〜５の編成により身頃の左肩部において前後の身頃でそれぞれ２目が減らされたことになる。これらステップで形成される重ね目は、一つは編地の内側に、もう一つは編地の外端に、とそれぞれ間隔を隔てて形成されることになる。
【００１７】
続くステップ６〜１０は身頃の右肩部における編成を示したもので、上記ステップ１から５に対応する。勿論このときに行われるラッキングの向きは先とは逆向きの左向きとなる。この編成により身頃の右肩部において前後の身頃でそれぞれ２目が減らされたことになる。次のステップ１１はステップ１に対応する編成を示す。従ってステップ１〜１０の編成を残る肩部の編地に対して繰り返し行うことで前後身頃の肩部の編目を肩先から衿部に向けて順次針から解放していき肩部の接合編成を終える。このようにして肩部の接合ライン９に沿って新規なファッションライン１７が形成される。側端編目群１１のウエールは接合ライン９に沿って平行に延びず、より垂直方向に角度を付けて形成される。図６は後身頃における上記肩部分の編目構造をより詳細に示したものを示す。側端編目群１１内の各ウエールの編目は繰り返し行われる減らし編成により徐々に内側に移動し、最後には接合ライン９に重なり消えてしまう。このことは図６の側端編目群１１の例えばＫのウエールをみればわかる。このようにして編成することで従来のように接合ラインに沿って平行に表目が形成されることなく該箇所をフラットにすることができる。なお図６には前身頃の編目は省略している。
【００１８】
上記した実施例は、側端編目群１１を７本のウエールで形成し、その内６本を内側ウエール１１ａ、１本を外側ウエール１１ｂとした例を示したが、側端編目群１１を少なくとも４本以上のウエールで構成し、その内３本以上の内側ウエール、１本以上を外側ウエールとして減らし編成を行うようにすれば第１の重ね目１３と第２の重ね目１５の間隔を隔てて形成できるので同様な作用効果を奏することができる。側端編目群は編成される編地のゲージに応じて適宜決めればよく、例えば６〜１８本のウエールとしその内、外側ウエールを１〜５本してもよい。なお第１の重ね目１３と第２の重ね目１５は、必ずしも上記した実施例のように同一コース内ある必要はなく、例えば肩部分の接合編成を編目コースが２コース形成される毎に行う場合では最初のコースで側端編目群のウエール全部を１本寄せして第１の重ね目１３を形成し、次のコースで外側ウエールを更に１本寄せるようにして第２の重ね目１５を形成してもよい。この場合は第１の重ね目１３と第２の重ね目１５迄が内側ウエールとなり、第２の重ね目１５から外側のウエールが外側ウエールとなる。また外側ウエールは実質２本寄せが行われたことになる。
【００１９】
図７と図８は、図３−Ａに対応した図を示し、図７は１０本のウエールで側端編目群１１を形成し、その内７本を内側ウエール、３本を外側ウエールとしたもの、図６は４本のウエールで側端編目群１１を形成し、その内３本を内側ウエール、１本を外側ウエールとしたものを示す。
【００２０】
上記した実施例は４枚ベッド横編機の場合を説明したが、２枚ベッド横編機を用いる場合でも同様に実施できる。その場合、前後の各針床においてそれぞれ１本おきの針を用いて編成を行うようにし、例えば、奇数番目の針を筒状編成される前編地、偶数番目の針を後側編地の編成に使用すれば対向する針床に空針を確保できる。この空針を用いてリンクス、ガーター、リブなどの表目と裏目が混在した組織柄を筒状に編成したり、編地を移動させたりすることができる。また上記した実施例では後身頃の編成を行いながら休止状態に置かれた前身頃を接合させるようにしたが、両者の関係を逆転させてニットウエアを編成することも勿論できるし、前後身頃を並行して編みながら上記した編成を適用するようにしてもよい。
【図面の簡単な説明】
【００２１】
【図１】本実施例の編成方法によって編まれたセーターを後身頃側から見た図である。
【図２】セーターの型紙を示した図である。
【図３】図３−Ａは接合ライン付近の編目構造を、図３−Ｂはその編成ステップを模式的に示した図である。
【図４】肩部における接合編成を詳細に示した図である。
【図５】図４に続く肩部における接合編成を詳細に示した図である。
【図６】後身頃における上記肩部分の編目構造をより詳細に示した図である。
【図７】他の実施例による接合ライン付近の編目構造を示した図である。
【図８】更に他の実施例による接合ライン付近の編目構造を示した図である。
【図９】従来の編成方法によって編まれたセーターを後身頃側から見た図である。
【図１０】従来方法による接合ライン付近の編目構造を図１０−Ａに、その編成ステップを模式的に示した図を図１０−Ｂにそれぞれ示した図である。
【符号の説明】
【００２２】
１，２０…セーター、２ｆ…前身頃、３ｆ…前袖、２ｂ，２１…前身頃、３ｂ…前袖、５…裾、７…肩、９，２３…接合ライン、２ｆｒ…右前身頃、２ｂｌ…左前身頃、１１…側端編目群、１１ａ…内側ウエール、１１ｂ…外側ウエール、１３…第１の重ね目、１５…第２の重ね目、１７，２５…ファッションライン
【図１】
2006152488.tif 000003
【図２】
2006152488.tif 000004
【図３】
2006152488.tif 000005
【図４】
2006152488.tif 000006
【図５】
2006152488.tif 000007
【図６】
2006152488.tif 000008
【図７】
2006152488.tif 000009
【図８】
2006152488.tif 000010
【図９】
2006152488.tif 000011
【図１０】
2006152488.tif 000012